(57)【要約】【課題】ワイヤーの組み付け箇所を利用した施錠装置の不正解除を防止する。【解決手段】スライド板５８を被覆する保護カバー６５から突出片５８ｆを露呈させる。この突出片５８ｆは先端が鈍角からなるので、突出片５８ｆの上辺１２６に当接させたセル板１２５を下方に移動させたときには、セル板１２５はＴ方向に移動した後、突出片５８ｆの上辺１２６から逸脱するが、スライド板５８は移動しない。突出片５８ｆの下辺１２７に当接させたセル板１２５を上方に移動させたときにも、セル板１２５はＵ方向に移動した後、突出片５８ｆの下辺１２７から逸脱するが、スライド板５８は移動しない。【選択図】図１７
2008183043.tif 000002
【特許請求の範囲】
【請求項１】
遊技場に設置する際に用いられる固定枠と、前記固定枠の幅方向の一端側が軸着された遊技機本体とを備え、前記遊技機本体の幅方向の他端側と前記固定枠とが施錠される遊技機において、
前記固定枠と遊技機本体との施錠を解除する際の鍵が差し込まれるシリンダと、
前記シリンダに差し込まれた鍵の操作によって移動する移動板と、
前記移動板の移動の有無に関係なく前記移動板を覆うカバー部材と、
前記移動板に設けられ、前記移動板の移動時に前記カバー部材から突出した状態が維持されるとともに、その突出方向に対して垂直となる方向における幅が先端に向けて狭くなるように形成された突出片と、
前記突出片に設けられ、前記鍵の操作を行わずに前記施錠を解除する解除部材が取り付けられる取付部と、を備えたことを特徴とする遊技機。
【請求項２】
前記固定枠に係止される枠用係止部材と、前記枠用係止部材と前記移動板とを連結する枠施錠用連結部材とを備えていることを特徴とする請求項１記載の遊技機。
【請求項３】
パチンコ球が流下する遊技領域を備えた遊技機本体と、前記遊技領域を視認する窓部を有し、前記遊技機本体の幅方向の一端側に軸着される扉とを備え、前記遊技機本体の幅方向の他端側と扉とが施錠される遊技機において、
前記本体部材と前記扉との施錠を解除する際の鍵が差し込まれるシリンダと、
前記シリンダに差し込まれた鍵の操作によって移動する移動板と、
前記移動板の移動の有無に関係なく前記移動板を覆うカバー部材と、
前記移動板に設けられ、前記移動板の移動時に前記カバー部材から突出した状態が維持されるとともに、その突出方向に対して垂直となる方向における幅が先端に向けて狭くなるように形成された突出片と、
前記突出片に設けられ、前記鍵の操作を行わずに前記施錠を解除する解除部材が取り付けられる取付部と、を備えたことを特徴とする遊技機。
【請求項４】
前記扉に係止される扉用係止部材と、前記扉用係止部材と前記移動板とを連結する扉施錠用連結部材とを備えていることを特徴とする請求項３記載の遊技機。
【請求項５】
遊技場に設置する際に用いられる固定枠と、この固定枠の幅方向の一端側で軸着される遊技機本体と、前記遊技機本体の前面で、且つ前記遊技機本体が固定枠に軸着される一端側で軸着される扉とを備え、前記遊技機本体の幅方向の他端側において、前記遊技機本体と前記固定部材との施錠、及び前記扉と前記遊技機本体との施錠がそれぞれ行われる遊技機において、
前記遊技機本体と固定部材との施錠、又は前記本体部材と前記扉との施錠の少なくともいずれか一方を解除する際の鍵が差し込まれるシリンダと、
前記シリンダに差し込まれた鍵の操作によって移動する移動板と、
前記移動板の移動の有無に関係なく前記移動板を覆うカバー部材と、
前記移動板に設けられ、前記移動板の移動時に前記カバー部材から突出した状態が維持されるとともに、その突出方向に対して垂直となる方向における幅が先端に向けて狭くなるように形成された突出片と、
前記突出片に設けられ、前記鍵の操作を行わずに前記遊技機本体と固定部材との施錠、又は前記本体部材と前記扉との施錠の少なくともいずれか一方を解除する解除部材が取り付けられる取付部と、を備えたことを特徴とする遊技機。
【請求項６】
前記扉に係止される扉用係止部材と、前記固定枠に係止される枠用係止部材と、前記移動板と扉用係止部材とを連結する扉施錠用連結部材と、前記移動板と枠用係止部材とを連結する枠施錠用連結部材とを備えていることを特徴とする請求項５記載の遊技機。
【発明の詳細な説明】
【技術分野】
【０００１】
本発明は、遊技場の島に設置されるパチンコ機などの遊技機に関し、さらに詳しくは、遊技機本体が遊技場の島に対して軸着される遊技機や、遊技機本体の前面に扉が軸着される遊技機に関するものである。
【背景技術】
【０００２】
パチンコ店などの遊技場に設置される遊技機としてパチンコ機が挙げられる。このパチンコ機は、遊技場の島設備に木枠などの固定枠に対してパチンコ機本体の幅方向の一端部が回動中心として軸着され、その他端部が施錠されることで遊技場の島に固定されている。このようなパチンコ機は、上述したパチンコ機本体と、パチンコ機本体に軸着される前面扉とを備えている。この前面扉は、その回動中心がパチンコ機の回動中心とほぼ一致するようにパチンコ機本体に軸着される。
【０００３】
このようなパチンコ機においては、例えば遊技盤ユニットがパチンコ機本体の前面側から組み付けられている。この遊技盤ユニットは、障害釘や入賞装置などが前面に設けられた遊技盤の後面に、遊技の進行における制御を行う遊技制御基板や、遊技盤に組み付けられた液晶表示装置の表示制御を行う表示制御基板などが組み付けられた構成となっており、遊技盤ユニットをパチンコ機本体に組み付けると、遊技盤ユニットの後面に組み付けられた制御基板などがパチンコ機本体の後方に突出した状態となる。このため、パチンコ機においては、このようなパチンコ機においては、前面扉の回動中心とは反対側の端部において、１つの施錠装置を用いて、パチンコ機本体と固定枠との施錠、及び前面扉とパチンコ機本体との施錠が行われている。
【０００４】
パチンコ機に用いられる施錠装置は、施錠を解除する際に鍵が挿入されるシリンダ錠機構と、挿入された鍵の操作によるシリンダ錠機構の駆動に連動し、パチンコ機の上下方向にスライドするスライド板と、前面扉の回動中心となる端部とは反対側の端部の上下２カ所に係止される扉用フックと、固定枠の上下方向の２カ所に係止される枠用フックとから構成され、例えばスライド板がスライドした際に、扉用フック又は枠用フックと当接して係止が解除される。
【０００５】
パチンコ機が設置される遊技場の中には、解錠キーを用いずに、パチンコ機本体と固定枠との施錠を解除する、又はパチンコ機本体と前面扉との施錠を解除する自動開閉装置を備えた遊技場がある。この自動開閉装置は、施錠装置に設けられたスライド板などの可動部分に先端が組み付けられるワイヤーと、このワイヤーの他端が巻き掛けられたホイールと、ホイールを回転させる駆動機構とから構成されており、ホイールにワイヤーを巻き取ることで、施錠装置による施錠を解除させることが可能となる（特許文献１等）。
【特許文献１】特許第３５２７１７７号公報
【発明の開示】
【発明が解決しようとする課題】
【０００６】
しかしながら、このような自動開閉装置が導入された遊技場の店舗数は少ないことから、上述したワイヤーの先端は、可動部分を初期位置に復帰させるバネの一端が引掛けられる取付片や、可動部分に設けられたレバーなどに組み付けられている。最近では、パチンコ機に生じる隙間から針金や合成樹脂製の薄板などを挿入し、その先端を可動部分の取付片やレバーに引っ掛けた後、可動部分を動かすことにより施錠装置による施錠を解除する不正行為が行われている。この不正行為を防止するために、上述した可動部分から取付片やレバーなどのないものにすることも考えられるが、自動開閉装置が導入された遊技場にパチンコ機が設置された場合には、上述するワイヤーを組み付ける箇所がなく、自動開閉装置を使用することができないという欠点がある。
【０００７】
本発明は、上記課題を解決するためになされたものであり、自動開閉装置を構成するワイヤー等の施錠に係る解除部材の組み付け箇所を利用した施錠装置の不正解除を防止することができるようにした遊技機を提供することを目的とする。
【課題を解決するための手段】
【０００８】
上記目的を達成するために、本発明の遊技機は、遊技場に設置する際に用いられる固定枠と、前記固定枠の幅方向の一端側が軸着された遊技機本体とを備え、前記遊技機本体の幅方向の他端側と前記固定枠とが施錠される遊技機において、前記固定枠と遊技機本体との施錠を解除する際の鍵が差し込まれるシリンダと、前記シリンダに差し込まれた鍵の操作によって移動する移動板と、前記移動板の移動の有無に関係なく前記移動板を覆うカバー部材と、前記カバー部材から突出する突出状態が維持されるとともに、その突出方向に対して垂直となる方向における幅が先端に向けて狭くなるように前記移動板に設けられた突出片と、前記突出片に設けられ、前記鍵の操作を行わずに前記施錠を解除する操作部材が取り付けられる取付部と、を備えたことを特徴とする。なお、突出片は、その突出方向の先端がＲ状となる山形状の板材であると好ましい。
【０００９】
また、前記固定枠に係止される枠用係止部材と、前記枠用係止部材と前記移動板とを連結する枠施錠用連結部材とを備えていることを特徴とする。
【００１０】
また、本発明の遊技機は、パチンコ球が流下する遊技領域を備えた遊技機本体と、前記遊技領域を視認する窓部を有し、前記遊技機本体の幅方向の一端側に軸着される扉とを備え、前記遊技機本体の幅方向の他端側と扉とが施錠される遊技機において、前記本体部材と前記扉との施錠を解除する際の鍵が差し込まれるシリンダと、前記シリンダに差し込まれた鍵の操作によって移動する移動板と、前記移動板の移動の有無に関係なく前記移動板を覆うカバー部材と、前記カバー部材から突出する突出状態が維持されるとともに、その突出方向に対して垂直となる方向における幅が先端に向けて狭くなるように前記移動板に設けられた突出片と、前記突出片に設けられ、前記鍵の操作を行わずに前記施錠を解除する操作部材が取り付けられる取付部と、を備えたことを特徴とする。
。
【００１１】
また、前記施錠装置は、前記扉に係止される扉用係止部材と、前記扉用係止部材と前記移動板とを連結する扉施錠用連結部材とを備えていることを特徴とする。
【００１２】
また、本発明の遊技機は、遊技場に設置する際に用いられる固定枠と、この固定枠の幅方向の一端側で軸着される遊技機本体と、前記遊技機本体の前面で、且つ前記遊技機本体が固定枠に軸着される一端側で軸着される扉とを備え、前記遊技機本体の幅方向の他端側において、前記遊技機本体と前記固定部材との施錠、及び前記扉と前記遊技機本体との施錠がそれぞれ行われる遊技機において、前記遊技機本体と固定部材との施錠、又は前記本体部材と前記扉との施錠の少なくともいずれか一方を解除する際の鍵が差し込まれるシリンダと、前記シリンダに差し込まれた鍵の操作によって移動する移動板と、前記移動板の移動の有無に関係なく前記移動板を覆うカバー部材と、前記カバー部材から突出する突出状態が維持されるとともに、その突出方向に対して垂直となる方向における幅が先端に向けて狭くなるように前記移動板に設けられた突出片と、前記突出片に設けられ、前記鍵の操作を行わずに前記遊技機本体と固定部材との施錠、又は前記本体部材と前記扉との施錠の少なくともいずれか一方を解除する操作部材が取り付けられる取付部と、を備えたことを特徴とする。
【００１３】
また、前記扉に係止される扉用係止部材と、前記固定枠に係止される枠用係止部材と、前記移動板と扉用係止部材とを連結する扉施錠用連結部材と、前記移動板と枠用係止部材とを連結する枠施錠用連結部材とを備えていることを特徴とする。
【発明の効果】
【００１４】
本発明の遊技機によれば、移動板がカバー部材によって被覆されたときに突出片のみが露呈するが、突出片が先端に向けて幅狭となるように形成されることで、針金や合成樹脂製の薄板を突出片に引っ掛けようとしても、突出片の斜面を滑るだけで引っ掛けることができない。これにより、移動板を針金や薄板を用いて移動させて施錠を解除する不正行為を防止することができる。また、突出片に取付部が形成されていることで、自動開閉装置を導入した遊技場では、移動板に自動開閉装置を構成するワイヤー等を組み付けることができる。
【００１５】
また、移動板は、扉用係止部材や枠用係止部材などと連結部材を介して連結されていることで、移動板が移動する方向における長さを従来の移動板よりも短くすることで、カバー部材によって覆う領域を狭くすることができる。
【発明を実施するための最良の形態】
【００１６】
図１乃至図３に示すように、パチンコ機（遊技機）１０は、基体となる本体部材（遊技機本体）１１と、本体部材１１に軸着される前面扉（窓）１２から構成されている。前面扉１２は、その幅方向の一端側が回動軸Ｚ１となるように本体部材１１に軸着される。また、前面扉１２が閉じた状態では、前面扉１２の幅方向の他端側が後述する施錠装置５０によって施錠される。本体部材１１は、その幅方向の一端側が前面扉１２の回動軸Ｚ１と同軸となるように固定枠（固定部材）１５に軸着される。また、本体部材１１が閉じた状態では、その他端側が施錠装置５０によって施錠される。なお、固定枠１５は、パチンコ機を遊技場の島に設置するときに用いられる。
【００１７】
前面扉１２は、その略中央に開口１２ａが設けられ、前面扉１２の背面に組み付けられたガラスなどの透光性を有する部材によって塞がれている。この開口１２ａからは、本体部材１１に組み付けられた遊技盤２０の遊技領域３５や、遊技領域３５を流下するパチンコ球などを視認できるようになっている。
【００１８】
本体部材１１は、その前面上部に遊技盤２０が設けられ、その下部に供給皿２１や操作ハンドル２２が設けられている。遊技盤２０には、障害釘や風車などの他に、センター役物２５、通過チャッカー２６、始動チャッカー２７、通常チャッカー２８、アタッカ２９などの構造物が設けられている。これら構造物の外周を合成樹脂からなるレール枠３０が組み付けられることで、レール枠３０の内部の空間が遊技領域３５となる。なお、遊技盤２０に設けられる構造物については、周知であることから、ここではその詳細を省略する。
【００１９】
供給皿２１は、パチンコ機１０において遊技を行う際にパチンコ球が供給される。また、この供給皿２１には、遊技領域３５を流下したパチンコ球が上述した始動チャッカー２７、通常チャッカー２８或いはアタッカ２９のいずれかに入賞したときに、入賞に対するパチンコ球が払出口３６を介して払い出される。そして、供給皿２１に供給されたパチンコ球は、１球ずつ整列された状態で図示を省略した発射装置に送り込まれる。
【００２０】
操作ハンドル２２は、遊技領域３５に向けたパチンコ球を発射する際に回転操作される。この操作ハンドル２２を回転させると、内部に設けられた発射装置が作動し、パチンコ球の打ち出し動作が開始される。この発射装置によるパチンコ球の打ち出し強さは、操作ハンドル２２の内部に設けられた打出用ボリュームの回転量に基づいて決定される。
【００２１】
この供給皿２１の側方であって、操作ハンドル２２の上方には、施錠装置５０を構成するシリンダ４０が露呈されている。このシリンダ４０には解錠キー４１が差し込まれる。シリンダ４０に差し込まれた解錠キー４１をＡ方向に回転させると、前面扉１２の施錠が解除され、回動軸Ｚ１を中心として前面扉１２を回動させることができる。一方、シリンダ４０に差し込まれた解錠キー４１をＢ方向に回転させると、本体部材１１の施錠が解除され、回動軸Ｚ１を中心として本体部材１１を回動させることができる。
【００２２】
施錠装置５０は、本体部材１１の幅方向において回動軸Ｚ１とは反対側の端部に、本体部材１１の上下方向に沿って組み付けられる。図４乃至図８に示すように、施錠装置５０は、扉用フック（扉用係止部材）５５，扉用フック５６、枠用フック（枠用係止部材）５７、スライド板（移動板）５８、連結ロッド（扉施錠用連結部材）５９、連結ロッド（枠施錠用連結部材）６０、伝達部材６１、シリンダ４０、係止機構６３、保持部材６４及び保護カバー（カバー部材）６５から構成されている。
【００２３】
扉用フック５５は、保持部材６４の上端部に回動自在に、かつ上下方向に反復移動可能に組み付けられる。扉用フック５５を保持部材６４に組み付ける方法としては、扉用フック５５に設けられた挿通孔５５ａにカシメピン７１を挿通した後、カシメピン７１を保持部材６４に固定する方法が挙げられる。この扉用フック５５は、その長手方向の一端側に爪部５５ｂが設けられており、前面扉１２を閉じると、爪部５５ｂが前面扉１２の係合片７２に係止される。扉用フック５５の爪部５５ｂとは反対側の端部には、扉用フック５５の長手方向に延びる長孔５５ｃが形成されている。また、扉用フック５５の長手方向において、爪部５５ｂと挿通孔５５ａとの間には引掛片５５ｄが設けられている。この引掛片５５ｄには、一端が保持部材６４のフック６４ａに組み付けられたコイルバネ７３の他端が取り付けられる。
【００２４】
扉用フック５６は、保持部材６４の長手方向における中央よりも下端部側に回動自在に、かつ上下方向に反復移動可能に組み付けられる。扉用フック５６を保持部材６４に組み付ける方法としては、扉用フック５５と同様に、扉用フック５６に設けられた挿通孔５６ａにカシメピン７４を挿通した後、カシメピン７４を保持部材６４に固定する方法が挙げられる。この扉用フック５６は、その長手方向の一端側に爪部５６ｂが設けられており、前面扉１２を閉じると、爪部５６ｂが前面扉１２の係合片７５に係止される。扉用フック５６の長手方向において、爪部５６ｂと挿通孔５６ａとの間には引掛片５６ｃが設けられている。この引掛片５６ｃには、一端が保持部材６４のフック６４ｂに組み付けられたコイルバネ７６の他端が取り付けられる。
【００２５】
枠用フック５７は、保持部材６４の上端部であって、扉用フック５５の下方に回動自在に、かつ上下方向に反復移動可能に組み付けられる。枠用フック５７を保持部材６４に組み付ける方法としては、枠用フック５７に設けられた挿通孔５７ａにカシメピン８０を挿通した後、カシメピン８０を保持部材６４に固定する方法が挙げられる。この枠用フック５７は、その長手方向の一端側に爪部５７ｂが設けられており、この爪部５７ｂが固定枠１５に設けられた係合片８１に係止される。枠用フック５７の爪部５７ｂとは反対側の端部には、枠用フック５７の長手方向に延びる長孔５７ｃが形成されている。また、枠用フック５７の長手方向において、挿通孔５７ａと爪部５７ｂとの間には、引掛片５７ｄが形成されている。この引掛片５７ｄには、一端が保持部材６４のフック６４ｃに組み付けられたコイルバネ８３の一端が取り付けられる。
【００２６】
スライド板５８は、パチンコ機１０の上下方向を長手方向とする板から形成されている。このスライド板５８の長手方向の略中央部と下端部とに長孔５８ａ，５８ｂが設けられている。これら長孔５８ａ，５８ｂは、スライド板５８を保持部材６４に取り付けるときにカシメピン８５が挿通され、これらカシメピン８５を保持部材６４に固定することで、スライド板５８をＣ方向又はＤ方向にスライドさせることが可能となる。このスライド板５８の上端部には、２つの並列する長孔５８ｃ，５８ｄが設けられている。また、スライド板５８の長手方向において、長孔５８ｄの下方には板面に対して９０度折り曲げられた押圧片５８ｅが設けられている。この押圧片５８ｅは、スライド板５８のＣ方向への移動時に、扉用フック５６の爪部５６ｂとは反対側の端部の上面を押圧する。この押圧を受けて扉用フック５６がコイルバネ７６の付勢に抗して回動する。
【００２７】
押圧片５８ｅの側方には、三角形状の突出片５８ｆが設けられている。この突出片５８ｆは、その先端の角度が鈍角となるように形成されている。このように突出片５８ｆの先端を鈍角とすることで、この突出片５８ｆに異物を引っ掛けることができないようになっている。この突出片５８ｆの先端部には、挿通孔（取付部）５８ｇが設けられている。この挿通孔５８ｇは、自動開閉装置が設置されている島設備にパチンコ機１０が設置された場合に、自動開閉装置のワイヤー（解除部材）１３０を挿通させるために設けられている。
【００２８】
なお、突出片５８ｆの形状を三角形状としているが、これに限定する必要はなく、例えば楕円弧形状とすることも可能である。また、突出片５８ｆの先端の角度を鈍角としているが、針金やセル板などを引っ掛けることができなければ、突出片の先端の角度を、例えば６０°〜９０°の範囲としてもよい。また、取付部として挿通孔としているが、この他に、突出片と直交するように設けられた突出片やピンなどであってもよい。
【００２９】
長孔５８ａ，５８ｂの間には、突片５８ｈが設けられている。この突片５８ｈは、シリンダ４０と連動する伝達部材６１の押圧片６１ａ，６１ｂの間に入り込んだ状態で保持される。また、スライド板５８の下端縁には、板面に対して９０度折り曲げられた押圧片５８ｉが設けられている。この押圧片５８ｉは、係止機構６３のフックレバー９５の引掛け片１０１の下方に位置し、スライド板５８がＤ方向にスライドしたときにフックレバー９５の引掛け片１０１を押圧してフックレバー９５を回動させる。
【００３０】
連結ロッド５９は、針金などの円棒からなり、その両端部が略クランク状に折り曲げられ、略クランク状に折り曲げられた両端部の先端がそれぞれ同一方向に９０度折り曲げられている。この連結ロッド５９の一端５９ａは扉用フック５５の長孔５５ｃに挿通され、連結ロッド５９の他端５９ｂは、スライド板５８の長孔５８ｃの上端側に挿通される。例えばスライド板５８がＣ方向へスライドしたときには連結ロッド５９の他端５９ｂが長孔５８ｃの内壁面の上端部に押圧され、連結ロッド５９が移動する。この連結ロッド５９の移動により扉用フック５５がコイルバネ７３の付勢に抗して回動する。スライド板５８がＤ方向にスライドしたときには、連結ロッド５９の他端５９ｂは、長孔５８ｃの内壁面の下端部に押圧されることがないので、連結ロッド５９は移動しない。このときには、扉用フック５５は回動しない。
【００３１】
連結ロッド６０は、連結ロッド５９と同様の構成となっていることから、ここではその詳細を省略するが、この連結ロッド６０の一端６０ａは枠用フック５７の長孔５７ｃに挿通され、その他端６０ｂはスライド板５８の長孔５８ｄであって、その下端側に挿通される。例えばスライド板５８がＤ方向へスライドしたときには、連結ロッド６０の他端６０ｂが長孔５８ｄの内壁面の下端部に押圧され、連結ロッド６０が移動する。この連結ロッド５９の移動により扉用フック５５がコイルバネ７３の付勢に抗して回動する。スライド板５８がＣ方向にスライドしたときには、連結ロッド６０の他端６０ｂは、長孔５８ｄの内壁面の上端部に押圧されることがないので、連結ロッド６０は移動しない。このときには、枠用フック５７は回動しない。これら連結ロッド５９，６０を設けることで、スライド板５８を短くしても、スライド板５８のスライド方向を変化させれば、回動させるフックを切り替えることができる。また、連結ロッド５９，６０の両端をそれぞれ略クランク状に折り曲げることで、本体部材１１の前面側の隅部に寄せる、つまり施錠装置５０のスペースを抑制することができる。
【００３２】
伝達部材６１は、シリンダ４０の後面から突出し、鍵４１の操作に応じて回転自在な回転軸４０ａにカシメなどにより組み付けられる。この伝達部材６１は、Ｖ字状の２つの押圧片６１ａ，６１ｂが、所定のピッチ間隔を空けて、且つ同一方向に延びるように設けられている。これら押圧片６１ａ，６１ｂの間に、スライド板５８の被押圧片５８ｈが入り込む。シリンダ４０に差し込まれた解錠キー４１をＡ方向に回転させると伝達部材６１が回転し、押圧片６１ａによってスライド板５８の被押圧片５８ｈが押圧される。これにより、スライド板５８はＣ方向にスライドする。また、解錠キーをＢ方向に回転させると、押圧片６１ｂによってスライド板５８の被押圧片５８ｈが押圧されるので、スライド板５８がＤ方向にスライドする。なお、ネジ８４は、シリンダ４０を保持部材６４に組み付ける際に用いられる。
【００３３】
係止機構６３は、固定枠１５の内壁に設けられた係合ピン１２０を係止するために設けられている。この係止機構６３は、フックレバー９５、ロックレバー（第２の枠用係止部材）９６及びコイルバネ９７とから構成されている。
【００３４】
フックレバー９５は、レバー本体１００と、レバー本体１００から突出する引掛け片１０１とから構成される。レバー本体１００は、その長手方向における一端側には挿通孔１００ａが設けられており、フックレバー９５を保持部材６４へ組み付ける時にカシメピン１０５が挿通される。このレバー本体１００には、受入側ストッパ１００ｂと保持側ストッパ１００ｃとが設けられている。この受入側ストッパ１００ｂと保持側ストッパ１００ｃとの間には略円弧状の摺接面１００ｄが形成されている。引掛け片１０１は、その端部に切欠き部１０１ａが設けられている。この切欠き部１０１ａには、コイルバネ９７の一端が引っ掛けられる。
【００３５】
ロックレバー９６は、レバー本体１１０と、レバー本体１１０から突出する引掛け片１１１とから構成される。レバー本体１１０は、その略中央に挿通孔１１０ａが設けられており、ロックレバー９６を保持部材６４に組み付ける時にカシメピン１１５が挿通される。レバー本体１１０には、突出片１１０ｂ、保持溝１１０ｃ、被押圧面１１０ｄが設けられている。
【００３６】
突出片１１０ｂは、フックレバー９５の受入側ストッパ１００ｂ、又は保持側ストッパ１００ｃのいずれか一方と係止するために設けられている。以下では、突出片１１０ｂが受入側ストッパ１００ｂに係止されているときのロックレバー９６の位置を待機位置と称し、保持側ストッパ１００ｃに係止されているときのロックレバー９６の位置を保持位置と称する。
【００３７】
保持溝１１０ｃは、本体部材１１を固定枠１５に向けて回動させたときに、固定枠１５に設けられた係合ピン１２０を受け入れる。この保持溝１１０ｃは、ロックレバー９６が待機位置に保持されたときには、保持部材６４の受入溝６４ｄから退避し、ロックレバー９６が保持位置に保持されたときには、保持部材６４の受入溝６４ｄと同一の高さに位置する。
【００３８】
被押圧面１１０ｄは、ロックレバー９６が待機位置にある場合に、保持部材６４の受入溝６４ｄと同一の高さに位置し、本体部材１１を固定枠１５に向けて回動させたときに、固定枠１５に設けられた係合ピン１２０に当接されることで、ロックレバー９６をＪ方向に回動させる。このロックレバー９６のＪ方向への回動時に、係合ピン１２０が保持溝１１０ｃに受け入れられる。
【００３９】
引掛け片１１１は、その先端部に切欠き部１１１ａを備えている。この切欠き部１１１ａには、上述したコイルバネ９７の他端が引っ掛けられる。
【００４０】
コイルバネ９７は、その一端がフックレバー９５の引っ掛け片１０１に、その他端がロックレバー９６の引掛け片１１１にそれぞれ引っ掛けられる。コイルバネ９７をこれらレバーに引っ掛けることで、一方のレバーに向けて他方のレバーを付勢することができる。例えば、スライド板５８がＤ方向にスライドすると、スライド板５８の押圧片５８ｉによってフックレバー９５が押圧される。この押圧を受けて、フックレバー９５の保持用ストッパ１００ｃとロックレバー９６の突出片１１０ｂとの係止が解除される。この係止の解除により、突出片１１０ｂがフックレバー９５の摺接面１００ｄに摺接しながらロックレバー９６が回動した後、突出片１１０ｂが受入側ストッパ１００ｂに係止される。なお、この状態では、保持部材６４に設けられたストッパ６４ｅにロックレバー９６が当接する。これにより、ロックレバー９６の回動及びフックレバー９５の回動がそれぞれ停止される。
【００４１】
保護カバー６５は、ネジ１２５等により保持部材６４に組み付けられる。この保護カバー６５は、Ｃ方向、又はＤ方向に移動するスライド板５８を被覆する。この保護カバー６５を保持部材６４に組み付けると、スライド板５８は突出片５８ｆを除く箇所が保護カバー６５によって被覆される。スライド板５８には、押圧片５８ｅ，５８ｉや被押圧片５８ｈなど針金や合成樹脂製の板などを引っ掛ける箇所が存在しているため、この保護カバー６５によりスライド板５８を被覆することで、針金や板などを引っ掛けてスライド板５８をスライドさせるなどの不正行為を防止することができる。なお、この保護カバー６５を保持部材６４に組み付けると、スライド板５８の他に、扉用フック５６や係止機構６３のフックレバー９５やロックレバー９６の一部がそれぞれ被覆される。
【００４２】
次に、施錠装置５０の動作について説明する。本体部材１１と固定枠１５との施錠を行う場合には、本体部材１１の幅方向における一端側を固定枠１５に軸着した後、他端側を固定枠１５に向けて回動させる。図９及び図１０に示すように、本体部材１１の他端側を固定枠１５に向けて（Ｅ方向に）回動させると、施錠装置５０の枠用フック５７の爪部５７ｂが、固定枠１５に組み付けられた係合片８１に当接する。係合片８１に爪部５７ｂが当接された枠用フック５７はコイルバネ８３の付勢に抗してＦ方向に回動していく。回動する枠用フック５７は、爪部５７ｂと係合片８１との当接が解除された時点で、コイルバネ８３の復帰力によりＧ方向に回動する。これにより、枠用フック５７が係合片８１に係止される。
【００４３】
枠用フック５７とスライド板５８とは連結ロッド６０を介して連結されているが、連結ロッド６０の他端６０ｂは、スライド板５８の長孔５８ｄの長手方向の下端側に位置していることから、枠用フック５７がＦ方向に回動すると連結ロッド６０はＨ方向に移動するが、連結ロッド６０の他端６０ｂはスライド板５８の長孔５８ｄに沿って移動するので、スライド板５８をＤ方向にスライドさせることがない。なお、枠用フック５７がＧ方向に回動するときには、連結ロッド６０はＩ方向に移動する。
【００４４】
図１１に示すように、枠用フック５７のＦ方向への回動時に、固定枠１５に設けられた係合ピン１２０が保持部材６４の受入溝６４ｄに受け入れられる。係合ピン１２０が受入溝６４ｄに受け入れられることで、固定枠１５に対するパチンコ機１０の上下方向の位置決めが行われる。この状態ではロックレバー９６は待機位置に保持されているので、本体部材１１がＥ方向に回動することで、ロックレバー９６の被押圧面１１０ｄが係合ピン１２０に当接される。この当接を受けて、ロックレバー９６がカシメピン１１５を中心としてＪ方向に回動する。その回動の過程で、ロックレバー９６に設けられた保持溝１１０ｃが受入溝６４ｄと同一の高さになることで、係合ピン１２０が保持溝１１０ｃに受け入れられる。なお、ロックレバー９６とフックレバー９５とには、コイルバネ９７が組み付けられていることから、ロックレバー９６がＪ方向に回動すると、フックレバー９５はコイルバネ９７の付勢を受けてカシメピン１０５を中心にＫ方向に回動する。
【００４５】
ロックレバー９６がＪ方向に回動する過程において、ロックレバー９６の突出片１１０ｂがフックレバー９５の摺接面１００ｄに摺接しながら回動する。図１２に示すように、ロックレバー９６の突出片１１０ｂと、フックレバー９５の摺接面１００ｄとの摺接が解除されると、ロックレバー９６の突出片１１０ｂがフックレバー９５の保持側ストッパ１００ｃに係止される。この係止により、ロックレバー９６が保持位置に保持される。ロックレバー９６が保持位置にあるときには、保持溝１１０ｃと保持部材６４の受入溝６４ｄとで囲まれた領域に係合ピン１２０が位置していることから、係合ピン１２０が係止機構により係止された状態となる。これにより、本体部材１１と固定枠１５とが施錠される。
【００４６】
前面扉１２と本体部材１１とを施錠する場合には、前面扉１２を本体部材１１の幅方向の一端側で軸着した後、前面扉１２の他端側を本体部材１１に向けて回動させる。図１３に示すように、前面扉１２を本体部材１１に向けて（Ｌ方向に）回動させると、扉用フック５５の爪部５５ｂが前面扉１２の後面に設けられた係合片７２に当接される。係合片７２に爪部５５ｂが当接された扉用フック５５はコイルバネ７３の付勢に抗してＭ方向に回動していく。図１４に示すように、爪部５５ｂと係合片７２との当接が解除されると、扉用フック５５はコイルバネ７３の復帰力によりＮ方向にカシメピン７１を中心にして回動する。これにより、扉用フック５５が係合片７２に係止される。
【００４７】
扉用フック５５がＭ方向に回動したときには連結ロッド５９はその一端５９ａが長孔５５ｃの内壁面に押圧されることでＯ方向に移動するが、連結ロッド５９の他端５９ｂはスライド板５８の長孔５８ｃの上端側に位置していることから、連結ロッド５９の他端５９ｂは長孔５８ｃに沿って移動するだけで、スライド板５８をＣ方向にスライドさせることがない。その後、扉用フック５５がＮ方向に回動すると連結ロッド５９の一端５９ａが長孔５５ｃにより押圧され、連結ロッド５９はＰ方向に移動する。
【００４８】
図１５及び図１６に示すように、前面扉１２を本体部材１１に向けて回動させた場合には、扉用フック５５の他に、扉用フック５６の爪部５６ｂが係合片７５に当接される。そして、係合片７５に爪部５６ｂが当接された扉用フック５６はコイルバネ７６の付勢に抗してＱ方向に回動していく。爪部５６ｂと係合片７５との当接が解除されると、扉用フック５６はコイルバネ７６の復帰力によりカシメピン７４を中心にしてＲ方向に回動する。これにより、扉用フック５６が係合片７５に係止される。なお、この扉用フック５６はスライド板５８と連結されていないことから、扉用フック５６が回動したとしても、スライド板５８をスライドさせることはない。これにより、本体部材１１と前面扉１２とが施錠される。
【００４９】
本体部材１１と固定枠１５との施錠を解除する時には、シリンダ４０に解錠キー４１を差し込んだ後、解錠キー４１をＢ方向に回転させる。解錠キー４１をＢ方向に回転させることで、伝達部材６１が回転軸４０ａを中心に回転し、伝達部材６１の押圧片６１ｂがスライド板５８の被押圧片５８ｈを上方向に押圧する。この押圧を受けてスライド板５８がＤ方向にスライドする。上述したように、スライド板５８の長孔５８ｄの下端側に連結ロッド６０の他端６０ｂが位置しているので、スライド板５８が移動すると、連結ロッド６０の他端６０ｂが長孔５８ｄの下端側の内壁面に押圧され、連結ロッド６０がＨ方向に移動する。一方、連結ロッド５９の他端５９ｂは、長孔５８ｃの上端側に位置していることで、スライド板５８のＤ方向のスライド時には連結ロッド５９は移動しない。
【００５０】
スライド板５８のＤ方向への移動に伴って連結ロッド６０がＨ方向に移動すると、連結ロッド６０の一端６０ａが枠用フック５７の長孔５７ｃの内壁面の上側部を押圧する。これにより、枠用フック５７がカシメピン８０を中心にＦ方向に回動し、枠用フック５７と固定枠１５に設けられた係合片８１との係止が解除される。
【００５１】
スライド板５８がＤ方向へとスライドする過程で、スライド板５８の下端部に設けられた押圧片５８ｉがフックレバー９５の引掛け片１０１を上方向に押圧する。図１２に示すように、押圧を受けてフックレバー９５がカシメピン１０５を中心にＳ方向に回動する。フックレバー９５がＳ方向に回動すると、フックレバー９５の保持用ストッパ１００ｃが、ロックレバー９６の突出片１１０ｂの回動軌跡上から退避する。コイルバネ９７がフックレバー９５とロックレバー９６とに組み付けられていることから、フックレバー９５がＳ方向に回動すると、ロックレバー９６がコイルバネ９７の付勢を受けてカシメピン１１５を中心にＴ方向に回動する。
【００５２】
このロックレバー９６のＴ方向への回動の際に、ロックレバー９６の保持溝１１０ｃと、保持部材６４の受入溝６４ｄとの間の距離が係合ピン１２０の直径よりも小さくなっていくことから、係合ピン１２０が保持溝１１０ｃから外れていく。係合ピン１２０は固定枠１５に保持されていることから、この過程でロックレバー９６が係合ピン１２０の押圧を受け、本体部材１１が固定部材１５から押し出されていく。そして、ロックレバー９６が保持部材６４のストッパ６４ｅに当接されると、ロックレバー９６の回動が停止される。このロックレバー９６の停止時にロックレバー９６の突出片１１０ｂが受入用ストッパ１００ｂに係止され、ロックレバー９６が待機位置に保持される。これにより、本体部材１１と固定枠１５との施錠が解除され、本体部材１１を回動軸Ｚ１を中心にして回動させることができる。
【００５３】
前面扉１２と本体部材１１との施錠を解除する時には、シリンダ４０に解錠キー４１を差し込んだ後、解錠キー４１を回転軸４０ａを中心にＡ方向に回転させる。解錠キー４１をＡ方向に回転させることで、伝達部材６１が回転し、伝達部材６１の押圧片６１ａがスライド板５８の被押圧片５８ｈを下方向に押圧する。この押圧を受けてスライド板５８がＣ方向にスライドする。スライド板５８の長孔５８ｃの上端側に連結ロッド５９の他端５９ｂが位置しているので、スライド板５８がＣ方向に移動すると、連結ロッド５９の他端５９ｂが長孔５８ｃの上端側の側面に押圧され、連結ロッド５９がＯ方向に移動する。この移動によって、連結ロッド５９の一端５９ａが扉用フック５５の長孔５５ｃの内壁面の下側部を押圧する。これにより、扉用フック５５がＭ方向に回動し、扉用フック５５と前面扉１２に設けられた係合片７２との係止が解除される。なお、連結ロッド６０の他端６０ｂは、スライド板５８の長孔５８ｄの下端側に位置していることから、スライド板５８が移動しても、連結ロッド６０が移動することがない。
【００５４】
スライド板５８がＣ方向にスライドすると、スライド板５８の押圧片５８ｅが扉用フック５６の爪部５６ｂとは反対側の端部を押圧するので、扉用フック５６がカシメピン７４を中心にＱ方向に回動し、扉用フック５６と前面扉１２に設けられた係合片７５との係止が解除され、図示しない付勢手段によって前面扉１２が押し出される。これにより、前面扉１２と本体部材１１との施錠が解除される。
【００５５】
このようなパチンコ機１０が遊技場に設置されると、遊技場の開店とともに遊技者によって遊技が実行されることになるが、遊技者の中には、解錠キー４１を用いずに、針金等の異物をパチンコ機１０と遊技場の島とに発生する隙間や、パチンコ機自体に生じる隙間から挿入し、前面扉１２と本体部材１１との施錠を解除、又は本体部材１１と固定枠１５との施錠を解除しようとする遊技者がいる。
【００５６】
例えば、前面扉１２と本体部材１１との施錠を解錠しようとして扉用フック５５に針金などの異物を引っ掛けてＭ方向に回動させたとしても、連結ロッド５９の他端５９ｂがスライド板５８の長孔５８ｃの上端側に位置していることから、扉用フック５５を回動させたとしても、連結ロッド５９の他端５９ｂはスライド板５８の長孔５８ｃに沿って移動するだけで、スライド板５８はスライドしない。スライド板５８がスライドしないことで、扉用フック５６と係合片７５との係止は解除されないので、前面扉１２と本体部材１１との施錠は解除されない。同様にして、針金などの異物によって扉用フック５６をＱ方向に回動させても、スライド板５８はスライドしないことから、扉用フック５５と係合片７２との係止は解除されない。これにより、不正に前面扉１２を開放しようとする不正行為を防止することができる。
【００５７】
同様にして、本体部材１１と固定枠１５との施錠を解除しようとして枠用フック５７に針金などを引っ掛け、Ｆ方向に回動させたとしても、連結ロッド６０の他端６０ｂは、スライド板５８の長孔５８ｄの下端側に位置していることから、枠用フック５７を回動させたとしても、連結ロッド６０の他端６０ｂは長孔５８ｄの内部を移動するだけで、スライド板５８はスライドしない。スライド板５８がスライドしないことで、係止機構６３による係合ピン１２０の係止状態が解除されないので、本体部材１１と固定枠１５との施錠は解除されない。また、針金等を用いて係止機構６３による係合ピン１２０の係止を解除しようとしても、係止機構６３は保護カバー６５によって被覆されていることから、係止機構６３による係合ピン１２０の係止を解除することができない。仮に保護カバー６５の内部に針金を挿入したとしても、フックレバー９５を回動させない限りは係止機構６３による係合ピン１２０の係止状態は解除されないので、本体部材１１と固定枠１５との施錠を不正に解除する不正行為を防止することができる。
【００５８】
図１７に示すように、合成樹脂製の薄板、所謂セル板１２５を用いてスライド板５８をスライドさせようとしても、保護カバー６５によってスライド板５８は被覆されていることで、針金やセル板をスライド板５８に引っ掛けることができない。スライド板５８は突出片５８ｆのみが保護カバー６５から露呈しているので、セル板１２５を突出片５８ｆの上辺１２６に当接させた後、セル板１２５を下方にスライドさせると、セル板１２５は上辺１２６を滑ることでＴ方向に移動し、突出片５８ｆの上辺１２６から逸脱する。また、セル板１２５を突出片５８ｆの下辺に当接させた後、セル板１２５を上方にスライドさせると、セル板１２５は下辺１２７を滑ることでＵ方向に移動し、突出片５８ｆの下辺１２７から逸脱する。これにより、セル板１２５によりスライド板５８をスライドさせることができない。なお、針金の場合も同様であり、針金の先端を突出片５８ｆに引っ掛けることができない。これにより、針金やセル板などを用いて施錠装置５０による施錠を解除する不正行為を防止することができる。なお、突出片５８ｆは、その周縁部に曲面加工を施し、また、突出片の表面にメッキ加工を施すことで、セル板等を用いて突出片を押圧した不正行為を抑止できる。
【００５９】
本実施形態では、本体部材と前面扉との施錠、及び本体部材と固定枠との施錠との両方の施錠を行う施錠装置について説明したが、本体部材と固定枠との施錠を行う施錠装置であってもよい。例えば本体部材と固定枠との施錠を行う施錠装置の場合には、本実施形態の枠用フック５７、スライド板５８、連結ロッド６０、シリンダ４０、伝達部材６１、係止機構６３，保持部材６４及び保護カバー６５を用いて施錠装置を構成すればよい。また、本体部材と前面扉との施錠を行う施錠装置の場合には、本実施形態の扉用フック５５，５６、スライド板５８、連結ロッド５９、シリンダ、伝達部材６１、保持部材６４及び保護カバー６５を用いて施錠装置を構成すればよい。
【図面の簡単な説明】
【００６０】
【図１】本発明のパチンコ機の外観を示す斜視図である。
【図２】前面扉を開放したときのパチンコ機の構成を示す斜視図である。
【図３】本体部材を回動させたときの本体部材及び固定枠との構成を示す斜視図である。
【図４】施錠装置の構成を分解して示す斜視図である。
【図５】施錠装置の上端側の構成を分解して示す斜視図である。
【図６】スライド板の近傍の構成を分解して示す斜視図である。
【図７】スライド板の近傍の構成を分解して示す斜視図である。
【図８】施錠装置の下端部であって、保護カバーを取り外した状態を示す斜視図である。
【図９】本体部材を固定枠に向けて回動させたときに、施錠装置の枠用フックと固定枠の係合片とが当接した状態を示す正面図である。
【図１０】施錠装置の枠用フックが固定枠の係合片に係止された状態を示す正面図である。
【図１１】本体部材を固定枠に向けて回動させたときに、施錠装置の係止機構のロックレバーが係合ピンに当接した状態を示す正面図である。
【図１２】係止機構に係合ピンが保持された状態を示す正面図である。
【図１３】扉用フックと前面扉の係合片とが当接したときの施錠装置の上端部分の状態を示す正面図である。
【図１４】前面扉の係合片に扉用フックが係止されたときの施錠装置の上端部分の状態を示す正面図である。
【図１５】扉用フックと前面扉の係合片とが当接したときの施錠装置の中央部分の状態を示す正面図である。
【図１６】前面扉の係合片に扉用フックが係止されたときの施錠装置の中央部分の状態を示す正面図である。
【図１７】保護カバーによって被覆されたスライド板の突出片近傍の構成を示す正面図である。
【符号の説明】
【００６１】
１０  パチンコ機（遊技機）
１１  本体部材（遊技機本体）
１２  前面扉（扉）
１５  固定枠（固定部材）
４０  シリンダ
４１  解錠キー
５０  施錠装置
５５  扉用フック（扉用係止部材）
５６  扉用フック
５７  枠用フック（枠用係止部材）
５８  スライド板（移動板）
５８ｆ  突出片
５８ｇ  挿通孔
５９  連結ロッド（扉施錠用連結部材）
６０  連結ロッド（枠施錠用連結部材）
６３  係止機構
６４  保持部材
６５  保護カバー（カバー部材）
１３０  ワイヤー（解除部材）
【図１】
2008183043.tif 000003
【図２】
2008183043.tif 000004
【図３】
2008183043.tif 000005
【図４】
2008183043.tif 000006
【図５】
2008183043.tif 000007
【図６】
2008183043.tif 000008
【図７】
2008183043.tif 000009
【図８】
2008183043.tif 000010
【図９】
2008183043.tif 000011
【図１０】
2008183043.tif 000012
【図１１】
2008183043.tif 000013
【図１２】
2008183043.tif 000014
【図１３】
2008183043.tif 000015
【図１４】
2008183043.tif 000016
【図１５】
2008183043.tif 000017
【図１６】
2008183043.tif 000018
【図１７】
2008183043.tif 000019